(57)【特許請求の範囲】
【請求項１】
本体と、
前記本体に設けられ、試料を検出して検出信号を出力する検出器と、
前記本体に設けられ、タッチパネル式の表示画面を有する表示器と、
前記検出器からの検出信号に基づいて、前記表示画面におけるグラフ領域内にグラフを
表示させる表示処理部と、
時間の設定を行うモードが選択されている場合には、前記表示画面における前記グラフ領域に対するピンチアウト操作に基づいて前記グラフ領域内に表示されているクロマトグラムにおける時間軸である横軸の倍率のみを変更することにより、当該クロマトグラムを拡大表示させた状態で時間の設定を行い、前記検出器の信号強度の閾値を設定するモードが選択されている場合には、前記表示画面における前記グラフ領域に対するピンチアウト操作に基づいて前記グラフ領域内に表示されているグラフにおける信号強度軸である縦軸の倍率のみを変更することにより、当該グラフを拡大表示させた状態で信号強度の閾値の設定を行う設定処理部とを備えることを特徴とする分析装置。
【発明の詳細な説明】
【技術分野】
【０００１】
本発明は、検出器からの検出信号に基づいて得られるデータをグラフとして表示画面に表示させる分析装置に関するものである。
【背景技術】
【０００２】
通常、ガスクロマトグラフなどの分析装置には、パーソナルコンピュータにより構成されるデータ処理装置が接続されている。データ処理装置には、分析装置に備えられた検出器からの検出信号が入力され、その検出信号に基づいてデータ処理装置が演算を行うことにより、クロマトグラムなどのデータが得られる（例えば、下記特許文献１参照）。
【０００３】
このようにして得られた各種データは、分析装置とは別個に設けられた表示器に表示される。表示器は、作業者がデータを確認しやすいように、比較的大きい表示画面を有している。
【先行技術文献】
【特許文献】
【０００４】
【特許文献１】特許第５２０６５０４号公報
【発明の概要】
【発明が解決しようとする課題】
【０００５】
上記のような従来の分析装置では、データ処理装置を起動した状態でなければ、作業者がデータを確認することができない。そのため、分析中はデータ処理装置を常時起動させておく必要があり、分析時間が長時間になる場合には、消費電力が大きくなってしまうという不具合が生じる。また、分析装置に対する作業を行う作業者にとっては、分析装置の本体においてデータの確認や設定作業を行うことができる方が便利な場合もある。
【０００６】
そこで、データ処理するためのデータ処理部、表示器、及び、操作部を分析装置の本体に設けることが検討される。しかし、分析装置の本体には、大きな表示画面を有する表示器を設けるだけのスペースを確保することが困難である。また、操作部も比較的単純な設定操作を行うことができるような幾つかのキーが設けられているに過ぎない。そのため、本体に対する操作により、クロマトグラムなどのグラフに関する設定を行うことは困難であった。
【０００７】
本発明は、上記実情に鑑みてなされたものであり、検出器からの検出信号に基づいて表示されるグラフに関する設定を本体に対する操作で容易に行うことができる分析装置を提供することを目的とする。
【課題を解決するための手段】
【０００８】
（１）本発明に係る分析装置は、本体と、検出器と、表示器と、表示処理部と、設定処理部とを備える。前記検出器は、前記本体に設けられ、試料を検出して検出信号を出力する。前記表示器は、前記本体に設けられ、タッチパネル式の表示画面を有する。前記表示処理部は、前記検出器からの検出信号に基づいて、前記表示画面におけるグラフ領域内にグラフを表示させる。前記設定処理部は、前記表示画面における前記グラフ領域に対するタッチ操作に基づいて、当該グラフ領域内に表示されているグラフに関する設定を行う。
【０００９】
このような構成によれば、作業者は、本体に設けられたタッチパネル式の表示画面に対してタッチ操作を行うのみで、表示画面のグラフ領域内に表示されているグラフに関する設定を行うことができる。
すなわち、グラフ領域内に表示されているグラフに関する設定を、本体に対する操作のみで容易に行うことができる。
【００１０】
（２）また、前記表示処理部は、前記表示画面における前記グラフ領域に対するタッチ操作に基づいて、前記グラフ領域内に表示されているグラフを拡大表示させてもよい。前記設定処理部は、前記グラフが拡大表示された前記グラフ領域に対するタッチ操作に基づいて、当該グラフに関する設定を行ってもよい。
【００１１】
このような構成によれば、作業者は、グラフ領域内に表示されるグラフにおける注目すべき部分を拡大表示させ、その拡大表示されたグラフ領域に対してタッチ操作を行うことで、グラフに関する設定を行うことができる。
そのため、グラフ領域内に対してタッチ操作を行うのみで、グラフに関する設定を詳細に行うことができる。
【００１２】
（３）また、前記表示処理部は、縦軸及び横軸の二軸表示で前記グラフ領域内にグラフを表示させるとともに、前記表示画面における前記グラフ領域に対するタッチ操作に基づいて、前記グラフ領域内に表示されているグラフにおける縦軸又は横軸の一方の倍率のみを変更することにより、当該グラフを拡大表示させてもよい。
【００１３】
このような構成によれば、縦軸及び横軸の両方の倍率を変更するのではなく、設定の対象となる一方の軸の倍率のみを変更することにより、限られたグラフ領域内に設定しやすい態様でグラフを拡大表示させることができる。
そのため、グラフの縦軸に関する設定、又は、グラフの横軸に関する設定を詳細に行うことができる。
【００１４】
（４）また、前記表示処理部は、前記検出器の信号強度を縦軸、時間を横軸とする二軸表示により、前記検出器で試料を検出したときのクロマトグラムを前記グラフ領域内に表示させるとともに、前記表示画面における前記グラフ領域に対するタッチ操作に基づいて、前記グラフ領域内に表示されているクロマトグラムにおける横軸の倍率のみを変更することにより、当該クロマトグラムを拡大表示させてもよい。前記設定処理部は、前記クロマトグラムが拡大表示された前記グラフ領域に対するタッチ操作に基づいて、時間の設定を行ってもよい。
【００１５】
このような構成によれば、時間に関する設定を行いやすい態様でクロマトグラムを拡大表示させた上で、その設定を詳細に行うことができる。
【００１６】
（５）また、前記表示処理部は、前記検出器の信号強度を縦軸、時間を横軸とする二軸表示により、前記検出器を起動したときの信号強度の変化を表すグラフを前記グラフ領域内に表示させるとともに、前記表示画面における前記グラフ領域に対するタッチ操作に基づいて、前記グラフ領域内に表示されているグラフにおける縦軸の倍率のみを変更することにより、当該グラフを拡大表示させてもよい。前記設定処理部は、前記グラフが拡大表示された前記グラフ領域に対するタッチ操作に基づいて、前記検出器の信号強度の閾値を設定してもよい。
【００１７】
このような構成によれば、検出器の信号強度の閾値に関する設定を行いやすい態様でグラフを拡大表示させた上で、その設定を詳細に行うことができる。
【発明の効果】
【００１８】
本発明によれば、本体に設けられたタッチパネル式の表示画面に対してタッチ操作を行うのみで、表示画面のグラフ領域内に表示されているグラフに関する設定を行うことができる。そのため、検出器からの検出信号に基づいて表示されるグラフに関する設定を本体に対する操作で容易に行うことができる。
【図面の簡単な説明】
【００１９】
【図１】本発明の一実施形態に係るガスクロマトグラフの構成例を示した概略図である。
【図２】図１のガスクロマトグラフの制御部、及び、その周辺の部材の具体的構成を示したブロック図である。
【図３】基本画面の状態の表示画面の表示態様の一例を示した概略図である。
【図４】制御部による処理の一例であって、バックフラッシュ設定モードの状態における処理を示したフローチャートである。
【図５】バックフラッシュ設定モードの状態の表示画面の表示態様の一例であって、クロマトグラムの全体が表示される例を示した概略図である。
【図６】バックフラッシュ設定モードの状態の表示画面の表示態様の一例であって、クロマトグラムが時間軸に拡大表示される例を示した概略図である。
【図７】制御部による処理の一例であって、点火設定モードの状態における処理を示したフローチャートである。
【図８】点火設定モードの状態の表示画面の表示態様の一例であって、信号強度グラフの全体が表示される例を示した概略図である。
【図９】点火設定モードの状態の表示画面の表示態様の一例であって、信号強度グラフが信号強度軸に拡大表示される例を示した概略図である。
【発明を実施するための形態】
【００２０】
１．ガスクロマトグラフの全体構成
図１は、本発明の一実施形態に係るガスクロマトグラフの構成例を示した概略図である。このガスクロマトグラフは、キャリアガスとともに試料ガスをカラム１内に供給することにより分析を行うためのものであり、上記カラム１以外に、カラムオーブン２、試料導入部３、検出器４、及び、これらを収容する中空状の本体１０などを備えている。
カラム１は、例えば、キャピラリカラムからなる。カラム１は、ヒータ及びファンなど（いずれも図示せず）とともにカラムオーブン２内に収容されている。
カラムオーブン２は、カラム１を加熱するためのものであり、分析時にはヒータ及びファンを適宜駆動させる。
【００２１】
試料導入部３は、カラム１内にキャリアガス及び試料ガスを導入するためのものであり、その内部に試料気化室（図示せず）が形成されている。この試料気化室には、液体試料が注入され、試料気化室内で気化された試料が、キャリアガスとともにカラム１内に導入される。また、試料気化室には、ガス供給流路５及びスプリット流路６が連通している。
ガス供給流路５は、試料導入部３の試料気化室内にキャリアガスを供給するための流路である。
【００２２】
スプリット流路６は、スプリット導入法によりカラム１内にキャリアガス及び試料ガスを導入する際に、試料気化室内のガス（キャリアガス及び試料ガスの混合ガス）の一部を所定のスプリット比で外部に排出するための流路である。
【００２３】
検出器４は、例えば、水素炎イオン化検出器（ＦＩＤ）により構成される。すなわち、ガスクロマトグラフを動作させる際には、検出器４において水素炎が点火される。また、検出器４は、カラム１から導入されるキャリアガスに含まれる各試料成分を順次検出する。
【００２４】
このガスクロマトグラフにおいて試料を測定する際は、まず、検出器４において水素炎が点火されて、検出器４が起動される。そして、分析対象となる試料が試料導入部３に注入される。試料は、試料気化室において気化される。また、試料導入部３の試料気化室には、ガス供給流路５を介してキャリアガスが供給される。
【００２５】
試料気化室内で気化された試料は、キャリアガスとともにカラム１内に導入される。試料に含まれる各試料成分は、カラム１内を通過する過程で分離されて、検出器４に順次導入される。
【００２６】
そして、検出器４において、カラム１から導入されるキャリアガスに含まれる各試料成分が順次検出される。また、検出器４における検出結果に基づいて、クロマトグラムが生成される。
【００２７】
また、このガスクロマトグラフでは、バックフラッシュ動作が可能である。バックフラッシュ動作とは、目的成分が検出器４を通過した後にキャリアガスを逆流させて、カラム１中や試料導入部３の試料気化室内から、不要な成分を排出するための動作である。ガスクロマトグラフを用いた分析において、このバックフラッシュ動作を行うことにより、分析時間を短縮でき、また、カラム１内の汚染を抑制できる。
【００２８】
２．制御部及び周辺の部材の具体的構成
図２は、図１のガスクロマトグラフの制御部、及び、その周辺の部材の具体的構成を示したブロック図である。
ガスクロマトグラフは、上記した検出器４に加えて、表示器１１と、記憶部１２と、制御部１３とを備えている。
【００２９】
表示器１１は、本体１（図１参照）に設けられている。詳しくは後述するが、表示器１１は、タッチパネルを含んでいる。すなわち、ガスクロマトグラフでは、表示器１１を用いることにより、作業者が分析を行いながら情報の確認及び入力操作を行うことができるようになっている。
【００３０】
記憶部１２は、例えば、ＲＯＭ（Read Only Memory）及びＲＡＭ（Random Access Memory）などにより構成されている。記憶部１２は、複数の検出データ１２１を記憶している。各検出データ１２１は、後述するデータ処理部１３１によって、検出器４からの検出信号に基づいて生成されるデータである。具体的には、各検出データ１２１は、クロマトグラム、又は、検出器４が起動するときの信号強度データである。
【００３１】
制御部１３は、例えば、ＣＰＵ（Central Processing Unit）を含む構成である。制御部１３は、検出器４及び表示器１１との間で、電気信号の入力又は出力が可能である。制御部１３は、必要に応じて記憶部１２に対するデータの入出力を行う。制御部１３は、ＣＰＵがプログラムを実行することにより、データ処理部１３１、表示処理部１３２、設定処理部１３３及び判定処理部１３４などとして機能する。
【００３２】
データ処理部１３１は、分析中は、検出器４からの検出信号に基づいて、クロマトグラムを得る。また、データ処理部１３１は、分析前は、検出器４を起動するときの検出器４からの検出信号に基づいて、信号強度データを得る。また、データ処理部１３１で生成されたクロマトグラム及び信号強度データは、検出データ１２１として記憶部１２に格納される。
【００３３】
表示処理部１３２は、記憶部１２の検出データ１２１に基づいて、表示器１１にクロマトグラム又は信号強度データをグラフとして表示させる処理を行う。また、表示処理部１３２は、タッチパネルの操作による表示器１１からの入力信号に基づいて、表示器１１に表示するクロマトグラム又は信号強度データの表示を変更する処理を行う。
設定処理部１３３は、タッチパネルの操作による表示器１１からの入力信号に基づいて、表示器１１に表示されるグラフに関する設定を行う。なお、グラフに関する設定には、例えば、グラフの各軸についての数値の設定が含まれる。
【００３４】
判定処理部１３４は、設定処理部１３３による設定内容、及び、記憶部１２の検出データ１２１に基づいて、ガスクロマトグラフの分析動作において必要となる判定を行い、当該判定内容に応じて、ガスクロマトグラフの各種部品の動作を制御する。
【００３５】
３．表示画面の画面構成
図３は、基本画面の状態の表示画面１１１の表示態様の一例を示した概略図である。
上記した表示器１１には、タッチパネル式の表示画面１１１が含まれている。表示器１１は、本体１０（図１参照）に備えられており、作業者は、本体１０上で表示画面１１１を確認できる。具体的には、表示器１１は、作業者が操作しやすいように、本体１０の前面に設けられている。また、本体１０の前面には、通常、開閉可能な扉などが設けられている。すなわち、表示器１１は、本体１０の前面において、扉などが配置されるスペースを確保するように、比較的小さなスペースに配置されている。
表示画面１１１は、略矩形状に形成されている。表示画面１１１には、動作表示領域１１２と、グラフ領域１１３とが含まれている。
【００３６】
動作表示領域１１２は、表示画面１１１内における上方側に配置されている。動作表示領域１１２は、ガスクロマトグラフにおける各種部品の動作状態を表示するための領域である。例えば、動作表示領域１１２には、カラム１の温度、試料導入部３内の温度及び圧力、試料導入部３内に供給されるキャリアガスの流量、検出器４の温度などの動作状態が表示される。
【００３７】
グラフ領域１１３は、表示画面１１１内における下方側に配置されている。グラフ領域１１３は、データ処理部１３１によるデータ処理結果をグラフとして表示するための領域である。具体的には、グラフ領域１１３は、記憶部１２に検出データ１２１として記憶されているデータに基づくグラフを表示するための領域である。なお、グラフ領域１１３では、グラフ（クロマトグラム又は信号強度データを表すグラフ）は、横軸を時間、縦軸を信号強度とする二軸表示により表示される。
【００３８】
ガスクロマトグラフにおける分析中は、表示器１１の表示画面１１１では、クロマトグラムがリアルタイムで表示される。すなわち、分析中は、データ処理部１３１によって、検出器４からの検出信号に基づいてクロマトグラムが生成されると、そのクロマトグラムに対応するデータが検出データ１２１として記憶部１２に格納される。また、表示処理部１３２は、記憶部１２に格納される検出データ１２１に基づいて、表示画面１１１のグラフ領域１１３にクロマトグラムをリアルタイムで表示させる。
【００３９】
具体的には、分析中は、グラフ領域１１３においてクロマトグラムであるグラフＡが右から左に移動するように表示される。グラフＡでは、右端側に表示される内容がリアルタイムで生成されるクロマトグラムに対応している。そして、グラフＡにおける右端側に表示された内容は、時間が経つにつれて左方に移動し、さらに時間が経つとグラフ領域１１３に表示されなくなる。
【００４０】
このように、表示器１１の表示画面１１１に基本画面が表示されている間は、グラフ領域１１３では、クロマトグラムがグラフＡとしてリアルタイムで表示される。そして、作業者は、このグラフＡを確認することにより、各種分析を行う。
【００４１】
４．制御部による制御動作、及び、表示画面の表示態様
（１）バックフラッシュ設定モード
図４は、制御部１３による処理の一例であって、バックフラッシュ設定モードの状態における処理を示したフローチャートである。また、図５は、バックフラッシュ設定モードの状態の表示画面の表示態様の一例であって、クロマトグラムの全体が表示される例を示した概略図である。
【００４２】
上記したように、このガスクロマトグラフでは、バックフラッシュ動作が可能である。また、バックフラッシュ動作は、予め設定された時間（開始タイミング）に応じて、開始される。そして、その時間の設定は、以下のように、バックフラッシュ設定モードの状態の表示画面１１１に対するタッチ操作に基づいて行われる。
【００４３】
具体的には、ガスクロマトグラフにおける分析動作が終了した状態において、作業者によって、表示画面１１１においてバックフラッシュ設定モードを選択するための所定のタッチ操作が行われると（ステップＳ１０１でＹＥＳ）、表示処理部１３２は、記憶部１２から分析が終了したクロマトグラムに対応する検出データ１２１を読出し、その検出データ１２１に対応するクロマトグラムの全体をグラフＢとしてグラフ領域１１３に表示させる（ステップＳ１０２）。なお、グラフＢは、グラフ領域１１３内において、移動することなく、その形状が固定されている。
【００４４】
そして、表示処理部１３２は、作業者によって、グラフ領域１１３における任意の２箇所をタッチした状態から、そのタッチ部分を拡げるようにしてスライド操作（ピンチアウト）が行われると（ステップＳ１０３でＹＥＳ）、グラフ領域１１３内に表示されているクロマトグラムを拡大表示させる。具体的には、表示処理部１３２は、図６に示すように、グラフ領域１１３内に表示されるクロマトグラムを時間軸（横軸）に拡大表示させたグラフＣを表示させる。
【００４５】
図６は、バックフラッシュ設定モードの状態の表示画面１１１の表示態様の一例であって、クロマトグラムが時間軸に拡大表示される例を示した概略図である。
【００４６】
すなわち、表示処理部１３２は、作業者によって、バックフラッシュ設定モードの状態のグラフ領域１１３に対するピンチアウト操作が行われると、グラフ領域１１３内に表示されるクロマトグラムを、信号強度軸の倍率は固定しつつ、時間軸の倍率を大きく変更することにより拡大表示する。図６では、図５に示す領域Ｄに対してピンチアウト操作が行われた場合の表示画面１１１の状態を示している。
【００４７】
また、図示しないが、表示処理部１３２は、この状態から、作業者によって、グラフ領域１１３における任意の２箇所をタッチした状態から、そのタッチ部分を狭めるようにしてスライド操作（ピンチイン）が行われると、グラフ領域１１３においてグラフＣを縮小したグラフを表示する。また、作業者によって、グラフ領域１１３における任意の１箇所をタッチした状態から、そのタッチ部分が横方向にスライド操作（スワイプ）されると、そのスライド方向にグラフＣを移動させる。
このようにして、グラフ領域１１３内には、時間の設定を行うのに適した形状のクロマトグラムが表示される。
【００４８】
そして、設定処理部１３３は、作業者によって、グラフ領域１１３における任意の１箇所が短くタッチ（タップ）されると（ステップＳ１０５でＹＥＳ）、そのタッチ部分（タップ部分）の中心に位置する時間を選択し、その時間をバックフラッシュ動作を開始する時間として設定する（ステップＳ１０６）。図６では、作業者によって領域Ｅがタップされた結果、領域Ｅの中心に位置する時間ｔが、バックフラッシュ動作を開始する時間として設定される状態を示している。
【００４９】
また、バックフラッシュ設定モードの状態において、グラフ領域１１３に対してピンチアウト操作が行われずに（ステップＳ１０３でＮＯ）、タップ操作が行われた場合（図５に示す状態のグラフ領域１１３に対してタップ操作が行われた場合）にも、上記と同様に、そのタップ部分の中心に位置する時間が選択され、その時間がバックフラッシュ動作を開始する時間として設定される。
【００５０】
このようにして、設定処理部１３３によって時間の設定が行われた後、再度、ガスクロマトグラフにおいて分析動作が開始された場合には、判定処理部１３４は、当該設定された時間、及び、リアルタイムのクロマトグラムに対応する検出データ１２１に基づいて、分析中において設定時間となるタイミングを判定する。そして、判定処理部１３４は、設定時間となったタイミングを判定すると、ガスクロマトグラフにおける各種部品の動作を制御して、バックフラッシュ動作を開始させる。
【００５１】
（２）点火設定モード
図７は、制御部１３による処理の一例であって、点火設定モードの状態における処理を示したフローチャートである。また、図８は、点火設定モードの状態の表示画面１１１の表示態様の一例であって、信号強度グラフの全体が表示される例を示した概略図である。
ガスクロマトグラフでは、上記した動作に加えて、検出器４が正常に動作しているか否かを確認する動作が行われる。
【００５２】
具体的には、ガスクロマトグラフでは、検出器４を起動したときの検出信号に基づいて、データ処理部１３１が、信号強度データを作成する。そのデータは、検出データ１２１として記憶部１２に格納される。
【００５３】
判定処理部１３４は、その検出データ１２１を記憶部１２から読み出し、信号強度が予め設定された閾値よりも大きい場合には、検出器４が正常に動作していると判定する。そして、上記したガスクトマトグラフにおける分析動作が開始される。
【００５４】
ここで、ガスクロマトグラフの使用条件によっては、上記した予め設定する閾値が適切な値ではない場合がある。このような場合に対応するため、設定処理部１３３は、以下のように、表示画面１１１に対するタッチ操作に基づいて、閾値を再度設定する。
【００５５】
具体的には、作業者によって、表示画面１１１において点火設定モードを選択するための所定のタッチ操作が行われると（ステップＳ２０１でＹＥＳ）と、表示処理部１３２は、記憶部１２から検出データ１２１を読出し、その検出データ１２１に対応する信号強度グラフ（信号強度データのグラフ）の全体をグラフＦとしてグラフ領域１１３に表示させる（ステップＳ２０２）。なお、グラフＦは、グラフ領域１１３内において、移動することなく、その形状が固定されている。
【００５６】
そして、表示処理部１３２は、作業者によって、グラフ領域１１３における任意の２箇所をタッチした状態から、そのタッチ部分を拡げるようにしてスライド操作（ピンチアウト）が行われると（ステップＳ２０３でＹＥＳ）、グラフ領域１１３内に表示されている信号強度グラフを拡大表示させる。具体的には、表示処理部１３２は、図９に示すように、グラフ領域１１３内に表示される信号強度グラフを信号強度軸（縦軸）に拡大表示させたグラフＧを表示させる。
図９は、点火設定モードの状態の表示画面１１１の表示態様の一例であって、信号強度グラフが信号強度軸に拡大表示される例を示した概略図である。
【００５７】
すなわち、表示処理部１３２は、作業者によって、点火設定モードの状態のグラフ領域１１３に対するピンチアウト操作が行われると、グラフ領域１１３内に表示される信号強度グラフを、時間軸の倍率は固定しつつ、信号強度軸の倍率を大きく変更することにより拡大表示する。図９では、図８に示す領域Ｈに対してピンチアウト操作が行われた場合の表示画面１１１の状態を示している。
【００５８】
また、図示しないが、表示処理部１３２は、この状態から、作業者によって、グラフ領域１１３における任意の２箇所をタッチした状態から、そのタッチ部分を狭めるようにしてスライド操作（ピンチイン）が行われると、グラフ領域１１３においてグラフＧを縮小したグラフを表示する。また、作業者によって、グラフ領域１１３における任意の１箇所をタッチした状態から、そのタッチ部分が縦方向にスライド操作（スワイプ）されると、そのスライド方向にグラフＧを移動させる。
このようにして、グラフ領域１１３内には、閾値の設定を行うのに適した形状の信号強度グラフが表示される。
【００５９】
そして、設定処理部１３３は、作業者によって、グラフ領域１１３における任意の１箇所が短くタッチ（タップ）されると（ステップＳ２０５でＹＥＳ）、そのタッチ部分（タップ部分）の中心に位置する信号強度を選択し、その信号強度を閾値として設定する（ステップＳ２０６）。図９では、作業者によって領域Ｉがタップされた結果、領域Ｉの中心に位置する信号強度Ｓが、検出器４の動作状況を確認する際に用いられる閾値として設定される状態を示している。
【００６０】
また、点火設定モードの状態において、グラフ領域１１３に対してピンチアウト操作が行われずに（ステップＳ２０３でＮＯ）、タップ操作が行われた場合（図８に示す状態のグラフ領域１１３に対してタップ操作が行われた場合）にも、上記と同様に、そのタップ部分の中心に位置する信号強度が選択され、その信号強度が閾値として設定される。
【００６１】
このようにして、設定処理部１３３によって閾値の設定が行われた後は、判定処理部１３４は、当該設定された閾値、及び、検出データ１２１に基づいて、検出器４が正常に動作しているか否かを判定する。例えば、検出器４の点火後に信号強度が閾値を超えれば点火状態と判定され、点火状態と判定された後に信号強度が閾値を下回れば消炎状態と判定される。そして、ガスクロマトグラフでは、検出器４が正常に動作していると判定された状態（点火状態と判定された状態）で、分析動作が行われる。
【００６２】
５．作用効果
（１）本実施形態では、ガスクロマトグラフにおいて、表示器１１は、本体１０に設けられている。また、表示器１１には、タッチパネル式の表示画面１１１が含まれている。そして、設定処理部１３３は、図６及び図９に示すように、表示画面１１１のグラフ領域１１３に対するタッチ操作に基づいて、グラフ領域１１３内に表示されているグラフに関する設定を行う。
【００６３】
そのため、作業者は、本体１０に設けられたタッチパネル式の表示画面１１１に対してタッチ操作を行うのみで、表示画面１１１のグラフ領域１１３内に表示されているグラフに関する設定を行うことができる。
すなわち、グラフ領域１１３内に表示されているグラフに関する設定を、本体１０に対するタッチ操作のみで容易に行うことができる。
【００６４】
（２）また、本実施形態では、表示処理部１３２は、表示画面１１１におけるグラフ領域１１３に対するタッチ操作に基づいて、図６及び図９に示すように、グラフ領域１１３内に表示されているグラフを拡大表示させる。また、設定処理部１３３は、グラフが拡大表示された状態のグラフ領域１１３に対するタッチ操作に基づいて、当該グラフに関する設定を行う。
【００６５】
そのため、作業者は、グラフ領域１１３内に表示されるグラフにおける注目すべき部分を拡大表示させ、その拡大表示されたグラフ領域１１３に対してタッチ操作を行うことで、グラフに関する設定を行うことができる。
その結果、グラフ領域１１３内に対してタッチ操作を行うのみで、グラフに関する設定を詳細に行うことができる。
【００６６】
（３）また、本実施形態では、表示処理部１３２は、図６及び図９に示すように、縦軸及び横軸の二軸表示でグラフ領域１１３内にグラフを表示させるとともに、表示画面１１１におけるグラフ領域１１３に対するタッチ操作に基づいて、グラフ領域１１３内に表示されているグラフにおける縦軸又は横軸の一方の倍率のみを変更することにより、当該グラフを拡大表示させる。
【００６７】
そのため、縦軸及び横軸の両方の倍率を変更するのではなく、設定の対象となる一方の軸の倍率のみを変更することにより、限られた領域であるグラフ領域１１３内に設定しやすい態様でグラフを拡大表示させることができる。
その結果、グラフの縦軸に関する設定、又は、グラフの横軸に関する設定を詳細に行うことができる。
【００６８】
（４）また、本実施形態では、表示処理部１３２は、図６に示すように、検出器４の信号強度を縦軸、時間を横軸とする二軸表示により、検出器４で試料を検出したときのクロマトグラムをグラフ領域１１３内に表示させる。また、表示処理部１３２は、表示画面１１１におけるグラフ領域１１３に対するタッチ操作に基づいて、グラフ領域１１３内に表示されているクロマトグラムにおける横軸（時間軸）の倍率のみを変更することにより、当該クロマトグラムを拡大表示させる。そして、設定処理部１３３は、クロマトグラムが拡大表示されたグラフ領域１１３に対するタッチ操作に基づいて、バックフラッシュ動作における時間の設定を行う。
【００６９】
そのため、時間に関する設定を行いやすい態様でクロマトグラムを拡大表示させた上で、その設定を詳細に行うことができる。
【００７０】
（５）また、本実施形態では、表示処理部１３２は、図９に示すように、検出器４の信号強度を縦軸、時間を横軸とする二軸表示により、検出器４を起動したときの信号強度の変化を表すグラフをグラフ領域１１３内に表示させる。また、表示処理部１３２は、表示画面１１１におけるグラフ領域１１３に対するタッチ操作に基づいて、グラフ領域１１３内に表示されているグラフにおける縦軸（信号強度軸）の倍率のみを変更することにより、当該グラフを拡大表示させる。そして、設定処理部１３３は、グラフが拡大表示された設定処理部１３３に対するタッチ操作に基づいて、検出器４の信号強度の閾値を設定する。
【００７１】
そのため、検出器４の信号強度の閾値に関する設定を行いやすい態様でグラフを拡大表示させた上で、その設定を詳細に行うことができる。
【００７２】
６．変形例
以上の説明では、本発明の分析装置は、ガスクロマトグラフであるとして説明したが、本発明の分析装置は、ガスクロマトグラフ以外の分析装置に適用可能である。
【００７３】
また、以上の説明では、グラフ領域１１３に対するタッチ操作に基づいて、グラフ領域１１３に表示される任意の１箇所の時点及び閾値が設定されるとして説明したが、設定される時点及び閾値は、１箇所に限られず、複数個所であってもよい。例えば、分析装置において、ハートカットや分取を行う場合などでは、グラフ領域１１３に対する任意の複数個所へのタッチ操作に基づいて、流路を切り替える時点を複数設定してもよい。
【００７４】
また、以上の説明では、検出器４は、水素炎イオン化検出器（ＦＩＤ）であるとして説明したが、点火されて使用されるその他の検出器であってもよい。例えば、検出器４は、炎光光度検出器（ＦＰＤ）であってもよい。
【符号の説明】
【００７５】
４    検出器
１０    本体
１１    表示器
１３    制御部
１１１    表示画面
１１３    グラフ領域
１３２    表示処理部
１３３    設定処理部
【図１】
0006589641.tif 000002
【図２】
0006589641.tif 000003
【図３】
0006589641.tif 000004
【図４】
0006589641.tif 000005
【図５】
0006589641.tif 000006
【図６】
0006589641.tif 000007
【図７】
0006589641.tif 000008
【図８】
0006589641.tif 000009
【図９】
0006589641.tif 000010